(57)【要約】【課題】情報を漏洩させることなく良質のパルプ原料としてリサイクル可能とする文書処理装置を提供する。【解決手段】情報が記載された定型の枚葉紙を情報を解読困難かつリサイクル可能に廃棄するための文書処理装置であって、枚葉紙を装置筐体内のストックテーブル上に給送する給紙装置と、給送された複数枚の枚葉紙を位置決めするガイドストッパと、ストックテーブル上で枚葉紙間を互いに分離困難な積層状態に接着する糊塗り装置および押圧装置とを備える。【選択図】図１
2009248023.tif 000002
【特許請求の範囲】
【請求項１】
情報が記載された枚葉紙を前記情報を解読困難かつリサイクル可能に廃棄するための装置であって、前記枚葉紙を装置筐体内のストックテーブル上に給送する給紙装置と、給送された複数枚の前記枚葉紙を前記ストックテーブル上で互いに分離困難な積層状態にする積層装置とを備える文書処理装置。
【請求項２】
前記積層装置は、順次給送される前記枚葉紙を前記ストックテーブル上に位置決めする位置決め装置と、前記給紙装置によって引き続き給送された枚葉紙が先に給送された枚葉紙に積層される前に先に給送された枚葉紙の表面又は後から供給される枚葉紙の裏面に糊剤を付着させる糊塗り装置と、前記糊剤を挟んで積層された前記枚葉紙群を押圧する押圧装置とを備える請求項１に記載の文書処理装置。
【請求項３】
前記糊塗り装置は、液状の前記糊剤を噴霧する噴霧ノズルと、この噴霧ノズルを前記ストックテーブル上に給送された枚葉紙の上方において走行させるノズル走行機構と、前記液状の糊剤を貯留して前記噴霧ノズルに着脱可能に連結される糊カートリッジと、前記噴霧ノズルによる噴霧動作が行われる前の待機状態において前記噴霧ノズルの噴霧部分に水分を与えてその乾燥を防止する保湿機構とを備える請求項２記載の文書処理装置。
【請求項４】
前記積層装置は、前記ストックテーブルを昇降させる昇降機構を備え、前記ストックテーブル上に前記枚葉紙が給送された後に前記ストックテーブルを下降させる構成である請求項２又は請求項３に記載の文書処理装置。
【請求項５】
前記ストックテーブル上において互いに分離困難な積層状態にされた枚葉紙群を前記ストックテーブル上から前記装置筐体外に排出する排出装置を更に備える請求項１ないし請求項４のいずれか一項に記載の文書処理装置。
【発明の詳細な説明】
【技術分野】
【０００１】
本発明は機密文書等の処理装置に関するものであり、さらに詳しくは、廃棄する文書の情報を漏洩させることなく紙のリサイクルを可能とする文書処理装置に関するものである。
【背景技術】
【０００２】
近年、ＯＡ化の進展に伴い事業系の紙ごみが急増しており、その処理が問題となっている。その中でも機密情報が記載された書類は、その情報の漏洩を防ぐために、シュレッダーで細帯状に裁断した後、焼却したり処理業者に引き取ってもらう等して処理を行うのが普通であった。
【０００３】
ところで今日、地球環境の保護の目的で、古紙をリサイクルしようという動きが活発になってきている。しかし、シュレッダーを使用する従来の紙の処理方法では、紙の繊維が細かく分断されるので、リサイクルしようとしても良質なパルプ原料が得られないという問題がある。
【特許文献１】特開平５−３３７４５３号
【発明の開示】
【発明が解決しようとする課題】
【０００４】
本発明は上記のような事情に基づいて完成されたものであって、書類に記載された機密情報をできるだけ漏洩させることなく、紙を良質のパルプ原料としてリサイクル可能とする文書処理装置を提供することを目的とする。
【課題を解決するための手段】
【０００５】
上記課題を解決するためになされた本発明は、情報が記載された枚葉紙を前記情報を解読困難かつリサイクル可能に廃棄するための文書処理装置であって、前記枚葉紙を装置筐体内のストックテーブル上に給送する給紙装置と、給送された複数枚の前記枚葉紙を前記ストックテーブル上で互いに分離困難な積層状態にする積層装置とを備えるところに特徴を有する。
【０００６】
このような本発明の文書処理装置によれば、枚葉紙は装置筺体内のストックテーブル上に給送された後、互いに分離困難な積層状態とされることにより、個々の枚葉紙に記載されている情報が隠蔽されるから、情報が漏洩することがない。しかも、シュレッダーとは異なり紙を細かく裁断することがないから、リサイクルに使用した場合でも良質な再生紙の原料となる。
【０００７】
また、上記文書処理装置の積層装置は、順次給送される枚葉紙をストックテーブル上に位置決めする位置決め装置と、給紙装置によって引き続き給送された枚葉紙が先に給送された枚葉紙に積層される前に先に給送された枚葉紙の表面又は後から供給される枚葉紙の裏面に糊剤を付着させる糊塗り装置と、前記糊剤を挟んで積層された枚葉紙群を押圧する押圧装置とを備える構成とすることができる。
【０００８】
このような上記構成によれば、枚葉紙の位置がバラバラにならないように正規位置に積層することができる上、糊塗り装置および押圧装置により枚葉紙間を糊材によって確実に積層・接着可能である。よって、情報漏洩を確実に防止することができる。
【０００９】
また、前記糊塗り装置は、液状の前記糊剤を噴霧する噴霧ノズルと、この噴霧ノズルを前記ストックテーブル上に給送された枚葉紙の上方において走行させるノズル走行機構と、前記液状の糊剤を貯留して前記噴霧ノズルに着脱可能に連結される糊カートリッジと、前記噴霧ノズルによる噴霧動作が行われる前の待機状態において前記噴霧ノズルの噴霧部分に水分を与えてその乾燥を防止する保湿機構とを備える構成とすることができる。
【００１０】
また、前記積層装置は、前記ストックテーブルを昇降させる昇降機構を備え、前記ストックテーブル上に前記枚葉紙が給送された後に前記ストックテーブルを下降させる構成としてもよい。
【００１１】
さらに、前記ストックテーブル上において一体的な積層状態にされた枚葉紙群を前記ストックテーブル上から前記装置筐体外に排出する排出装置を備える構成としてもよい。
【発明の効果】
【００１２】
上記のような本発明の文書処理装置によれば、情報の漏洩を防止することができるとともに、紙をリサイクルに使用した場合でも良質な再生紙の原料となり得るという効果を奏する。
【発明を実施するための最良の形態】
【００１３】
本発明の一実施形態１を図１ないし図８によって説明する。
【００１４】
図１は本実施形態の文書処理装置１０の縦断面図であって、このものは、ほぼ直方体形状の装置筺体１１内に後述する給紙装置２０と、ストックテーブル３０と、ガイドストッパ４１、糊塗り装置４２および押圧装置４３からなる積層装置４０と、排出装置５１とが配設された構成とされている。
【００１５】
装置筺体１１のうち上壁の一部には、片側に傾斜してコピー用紙等の定型（例えばＡ４）の枚葉紙からなる書類をその上面に載置可能とするとともに、その傾斜下端部から装置筺体１１内に枚葉紙を１枚ずつ給送可能とする供給テーブル１２が設けられている。また側壁の一部（図１中左側の壁）には、装置筺体１１内で積層装置４０により一体的な積層状態とされた枚葉紙群を排出装置５１によって装置筺体１１の外部に排出するための排出扉１３が、常時は閉じられた状態となるように設けられている。
【００１６】
供給テーブル１２上に載置された枚葉紙は、上述したように、１枚ずつ装置筺体１１内に給送される。供給テーブル１２の下端部分には図示しない送り出しローラが設けられており、この送り出しローラが作動することにより、供給テーブル１２上に載置された複数枚の枚葉紙のうち最下層の枚葉紙が、供給テーブル１２の最下端付近に設けられたスリット１４から装置筺体１１内に給送され、給紙装置２０に送り込まれる。給紙装置２０は複数の送りローラ２１と補助ガイド２２とが組み合わされたものであり、この給紙装置２０により枚葉紙はストックテーブル３０上に給送・載置される。
【００１７】
ストックテーブル３０は、図２に示すように、供給される枚葉紙とほぼ同じサイズの板状部材からなり、４本の支持脚３１によって装置筐体１１内に固定された固定テーブル３２上に昇降可能に取り付けられている。より詳細には、ストックテーブル３０の下面中央に外周面に螺旋溝が形成された昇降ロッド３３が下向きに突設されており、その昇降ロッド３３が挿通孔を通して固定テーブル３２を貫通している。固定テーブル３２の下面にはリニア駆動機構３５が設けられている。リニア駆動機構３５には昇降ロッド３３の螺旋溝に係合する図示しない雌ねじ部材が設けられると共に、その雌ねじ部材をモータ３４によって回転させることにより、昇降ロッド３３ひいてはストックテーブル３０を自由な位置に昇降させることができる。
【００１８】
なお、ストックテーブル３０の四隅にはガイドロッド３６が下向きに取り付けられており、各ガイドロッド３６が固定テーブル３２の裏面に設けられた筒状のリニアガイド３７を貫通して支持されており、これにてストックテーブル３０をほぼ水平状態に保つことができる。
【００１９】
固定テーブル３２には、給紙装置２０により給送された枚葉紙をストックテーブル３０上の所定の位置にガイドするべく断面Ｌ型の細長いガイドストッパ４１がストックテーブル３０の四隅に外側から当接するように立設されており、このガイドストッパ４１内に枚葉紙が納められることにより、枚葉紙の位置決めが行われる。なお、これらガイドストッパ４１のうち、装置筺体１１の排出扉１３側に位置する２本のものは、固定テーブル３２への取り付け部を回動中心として排出扉１３側に傾倒可能とされている。
【００２０】
一方、ストックテーブル３０の上方には、糊塗り装置４２および押圧装置４３が設けられている。これら糊塗り装置４２および押圧装置４３は、装置筺体１１の側壁（図１中右側の壁）から水平方向に延びるリニアガイド４４に取り付けられた走行モータ４５ａ付きの移動フレーム４５に設けられており、液状の糊材を貯留する糊カートリッジ４６と、糊カートリッジ４６から供給される糊材を噴霧する複数の噴霧ノズル４７（図３参照）と、ストックテーブル３０上の枚葉紙を押圧する押圧部材である板状のスキージ４８と、スキージを昇降させる昇降ソレノイド４９とからなる。また、ストックテーブル３０の隣かつリニアガイド４４の下方には、噴霧ノズル４７が停止して噴霧動作を待機している状態において、噴霧ノズル４７の先端部分を水中に浸漬させておくための保湿容器５０が配設されている。
【００２１】
また、固定テーブル３２に並んで、ストックテーブル３０上の積層状態の枚葉紙群を排出扉１３にガイドするための凹型の板材からなるシューター５２が設けられているとともに、ストックテーブル３０上の積層状態の枚葉紙群をシューター５２側へ押し出すためのＴ字型のプッシャー５３が、固定テーブル３２上に設けられている。
【００２２】
上述したような本実施形態の文書処理装置１０を使用する場合には、図１に示すように、まず供給テーブル１２上に枚葉紙を載置し、処理装置１０を作動させる。すると、枚葉紙のうち最下層のものが図示しない送り出しローラによってスリット１４から装置筺体１１内に送り込まれ、給紙装置２０によってストックテーブル３０上に給送される。
【００２３】
このように枚葉紙の給送が開始されるのと同時に、待機位置（保湿容器５０内）に配置されていた噴霧ノズル４７が上昇し、その後図中左側に移動しながら、すでにストックテーブル３０上に載置されている枚葉紙の上面に向かって糊材を噴霧する（図４参照）。
【００２４】
糊材の噴霧が終了した後、給送されてきた枚葉紙がストックテーブル３０に到達する（図５参照）。このとき、ストックテーブル３０の四隅にはガイドストッパ４１が設けられているから、枚葉紙はこのガイドストッパ４１によりガイドされてストックテーブル３０上の正規位置に載置される。また、ストックテーブル３０は枚葉紙の厚み分だけ昇降モータ３４により下降する。
【００２５】
このように枚葉紙がストックテーブル３０上に載置され、枚葉紙上面の高さが所定の位置に調整されると、スキージ４８が下降してその先端を枚葉紙上面に当接させる。そして、枚葉紙を押圧しながら待機位置側に向かって移動する（図６参照）ことにより、枚葉紙を分離不可能に糊付けされた積層状態とする。
【００２６】
このような操作を繰り返し、ストックテーブル３０が最下端の位置まできたら、プッシャー５３を作動させて、互いに分離困難な積層状態となった枚葉紙群を排出扉１３から装置筺体１１の外部に排出する（図７参照）。このとき、排出扉１３側に位置するサイドストッパ４１はシューター５２側に傾倒するので、邪魔になることはない。積層された枚葉紙群が排出されると、ストックテーブル３０は最上端の位置まで上昇し、新たな枚葉紙が給送されるのを待機する（図８参照）。
【００２７】
このように、本実施形態の文書処理装置１０によれば、枚葉紙が互いに分離困難な状態とされるので、機密情報は隠蔽され、情報の漏洩を確実に防止することができる。また、紙を細かく裁断することがないので、紙をリサイクルに使用した場合でも良質な再生紙の原料となり得るという効果を奏する。
【００２８】
＜他の実施形態＞
本発明は上記記述及び図面によって説明した実施形態に限定されるものではなく、例えば次のような実施形態も本発明の技術的範囲に含まれる。
【００２９】
（１）上記実施形態では、板状のスキージを枚葉紙に押圧する事により枚葉紙間を確実に接着させる構成としたが、この他にも、例えば枚葉紙と同等の大きさの押圧板を押しつけたり、ローラを枚葉紙の全域に押しつけながら転がす構成としてもよい。
【００３０】
（２）上記実施形態では、糊材を噴霧ノズルにより噴霧する構成としたが、これに限らず、例えば糊材を含んだローラを枚葉紙上で転がしたり、糊材を含んだスタンプを枚葉紙上に押しつける構成としてもよい。また、全面を貼り合わせるだけでなく、糊材でランダムな模様を描いたり、筋をつけたりして、貼り合わせるようにしてもよい。
【００３１】
（３）また、糊材を着色しておくと、情報がより隠蔽され易い。
【００３２】
（４）上記実施形態では、枚葉紙を開いた状態で積層する構成としたが、これに限らず、例えば１枚の枚葉紙を折り畳んだ状態で重ね合わせるようにしてもよい。
【００３３】
（５）上記実施形態では、枚葉紙を分離困難に積層させるのに糊材を使用したが、例えばホッチキス等で強固に留める構成としたり、予め切手糊が塗布してある専用紙を使用し、水で接着させる構成としてもよい。
【図面の簡単な説明】
【００３４】
【図１】本発明の一実施形態の文書処理装置の縦断側面図
【図２】同じく固定テーブルおよびストックテーブルの斜視図
【図３】同じく文書処理装置の内部の縦断正面図
【図４】同じく文書処理装置の作動を開始した時の縦断側面図
【図５】同じく枚葉紙がストックテーブルに到達した時の縦断側面図
【図６】同じく枚葉紙を押圧装置により押圧する時の縦断側面図
【図７】同じく積層状態の枚葉紙を排出する場合の縦断側面図
【図８】同じく枚葉紙が排出された後の文書処理装置の縦断側面図
【符号の説明】
【００３５】
１０…文書処理装置
１１…装置筺体
１２…供給テーブル
１３…排出扉
２０…給紙装置
３０…ストックテーブル
３２…固定テーブル
３３…昇降ロッド（昇降機構）
３４…昇降モータ（昇降機構）
４０…積層装置
４１…ガイドストッパ（位置決め装置）
４２…糊塗り装置
４３…押圧装置
４４…リニアガイド（ノズル走行機構）
４５…移動フレーム（ノズル走行機構）
４６…糊カートリッジ
４７…噴霧ノズル
４８…スキージ
５０…保湿容器（保湿機構）
５１…排出装置
【図１】
2009248023.tif 000003
【図２】
2009248023.tif 000004
【図３】
2009248023.tif 000005
【図４】
2009248023.tif 000006
【図５】
2009248023.tif 000007
【図６】
2009248023.tif 000008
【図７】
2009248023.tif 000009
【図８】
2009248023.tif 000010